【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
液体を吐出させるノズルと、前記ノズルと連通する圧力室と、前記圧力室を構成する壁の前記圧力室の外側に取り付けられ、前記圧力室内の液体を加圧する圧電素子と、前記圧電素子及び前記圧電素子の周囲の空間を囲む気体室と、を具備するインクジェットヘッドと、
前記インクジェットヘッドの周囲の露点以下の乾燥気体を生成するとともに、前記インクジェットヘッドの通電開始前に前記気体室への乾燥気体の供給が開始され、前記インクジェットヘッドの通電中は前記気体室への乾燥気体の供給が継続され、前記インクジェットヘッドの通電停止後に前記気体室への乾燥気体の供給が停止される乾燥気体供給手段と、
一方の端は前記乾燥気体供給手段と連通され、他方の端は前記気体室と連通される乾燥気体供給流路と、
前記乾燥気体供給流路に設けられ、前記乾燥気体供給手段と前記気体室との連通、遮断を切り換える乾燥気体供給流路開閉手段と、
一方の端は前記気体室と連通され、他方の端は大気開放される気体回収流路と、
前記気体回収流路に設けられ、前記気体室と大気との連通と非連通とを切り換える気体回収流路開閉手段と、
前記乾燥気体供給手段から前記気体室への乾燥気体の供給停止中は、前記乾燥気体供給流路開閉手段を閉じて前記乾燥気体供給手段と前記気体室とを遮断するとともに、前記気体回収流路開閉手段を閉じて前記気体室と大気とを遮断するように前記乾燥気体供給流路開閉手段及び前記気体回収流路開閉手段を制御する開閉制御手段と、
を備えた液体吐出装置。
【請求項２】
前記開閉制御手段は、前記乾燥気体供給手段による乾燥気体の生成が開始されてから所定時間経過後に前記乾燥気体供給流路開閉手段を開いて、前記気体室内へ乾燥気体を導入する請求項１に記載の液体吐出装置。
【請求項３】
前記乾燥気体供給手段から前記気体室への乾燥気体の供給が開始されてから所定時間経過後に、前記圧電素子への駆動電圧の印加を開始する駆動電圧印加手段を備えた請求項１又は２に記載の液体吐出装置。
【請求項４】
前記気体室内の湿度を検出する湿度検出手段を備え、
前記駆動電圧印加手段は、前記検出された湿度が所定の規定値以下となった後に、前記圧電素子へ駆動電圧を印加する請求項３に記載の液体吐出装置。
【請求項５】
前記湿度検出手段は、前記乾燥気体供給手段よりも前記乾燥気体の流れ方向の下流側に配設される湿度検出装置を含む請求項４に記載の液体吐出装置。
【請求項６】
前記気体室、前記乾燥気体供給流路及び前記気体回収流路の少なくともいずれかに吸湿材が設けられる請求項１から５のいずれか１項に記載の液体吐出装置。
【請求項７】
前記乾燥気体供給流路にリリーフ弁が配設される構造を有する請求項１から６のいずれか１項に記載の液体吐出装置。
【請求項８】
複数の前記インクジェットヘッドを具備し、
前記乾燥気体供給流路と連通され、前記複数のインクジェットヘッドのそれぞれと連通される複数の乾燥気体分配手段を備えた請求項１から７のいずれか１項に記載の液体吐出装置。
【請求項９】
前記複数のインクジェットヘッドのそれぞれと連通され、前記気体回収流路と連通する気体統合手段を備えた請求項８に記載の液体吐出装置。
【請求項１０】
前記インクジェットヘッドは、複数のヘッドモジュールを含み、
前記乾燥気体供給流路と連通され、前記複数のヘッドモジュールのそれぞれと連通される複数の乾燥気体分配手段を備えた請求項１から７のいずれか１項に記載の液体吐出装置。
【請求項１１】
前記複数のヘッドモジュールのそれぞれと連通され、前記気体回収流路と連通する気体統合手段を備えた請求項１０に記載の液体吐出装置。
【請求項１２】
前記乾燥気体分配手段及び前記気体統合手段の少なくともいずれかに吸湿材が設けられる請求項１１に記載の液体吐出装置。
【請求項１３】
前記乾燥気体供給手段は、気体を圧縮する圧縮装置と、
前記圧縮された気体の異物を捕獲するフィルタと、
前記フィルタを通過した圧縮された気体から水分を除去するエアドライヤと、
備えた請求項１から１２のいずれか１項に記載の液体吐出装置。
【請求項１４】
前記乾燥気体供給手段は、フィルタ式エアドライヤを含み、
前記フィルタ式エアドライヤと前記インクジェットヘッドとの間にレギュレータが設けられる請求項１から１２のいずれか１項に記載の液体吐出装置。
【請求項１５】
前記フィルタ式エアドライヤの前記乾燥気体の流れ方向下流側に流量センサ又は湿度検出素子を備えた請求項１４に記載の液体吐出装置。
【請求項１６】
前記乾燥気体供給流路は、禁油処理されている請求項１から１５のいずれか１項に記載の液体吐出装置。
【請求項１７】
前記気体回収流路の前記他方の端は、前記気体室から流出した乾燥気体を排出させる気体出口が設けられ、
前記気体出口は、前記インクジェットヘッドが配設される印字部の外部に配置される請求項１から１６のいずれか１項に記載の液体吐出装置。
【請求項１８】
前記乾燥気体の露点は１５度以下である請求項１から１７のいずれか１項に記載の液体吐出装置。
【請求項１９】
前記乾燥気体供給流路開閉手段又は前記気体回収流路開閉手段は、電源が供給されていない状態で閉じられるノーマルクローズ式の制御弁である請求項１から１８のいずれか１項に記載の液体吐出装置。
【請求項２０】
前記乾燥気体供給流路開閉手段又は前記気体回収流路開閉手段は、ラッチ式の制御弁である請求項１から１８のいずれか１項に記載の液体吐出装置。
【請求項２１】
液体を吐出させるノズルと、前記ノズルと連通する圧力室と、前記圧力室を構成する壁の前記圧力室の外側に取り付けられ、前記圧力室内の液体を加圧する圧電素子と、前記圧電素子及び前記圧電素子の周囲の空間を囲む気体室と、を具備するインクジェットヘッドの通電開始前に、前記気体室へ前記インクジェットヘッドの周囲の露点以下の乾燥気体の供給が開始され、
前記インクジェットヘッドの通電中は前記気体室への前記乾燥気体の供給が継続され、
前記インクジェットヘッドの通電停止後に前記気体室への前記乾燥気体の供給が停止され、
前記気体室への前記乾燥気体の供給停止中は、前記気体室と連通される乾燥気体供給流路に設けられる乾燥気体供給流路開閉手段が閉じられて、前記気体室へ乾燥気体を供給する乾燥気体供給手段と前記気体室とが遮断され、かつ、
前記気体室への前記乾燥気体の供給停止中は、前記気体室と連通される気体回収流路に設けられる気体回収流路開閉手段が閉じられて、前記気体室と大気とが遮断されるインクジェットヘッドの駆動方法。
【手続補正２】
【補正対象書類名】明細書
【補正対象項目名】０１７９
【補正方法】変更
【補正の内容】
【０１７９】
（第１５態様）：第１５態様に係る液体吐出装置は、前記フィルタ式エアドライヤの前記乾燥気体の流れ方向下流側に流量センサ又は湿度検出素子を備えている。
【手続補正３】
【補正対象書類名】明細書
【補正対象項目名】０１９１
【補正方法】変更
【補正の内容】
【０１９１】
（第２１態様）：液体を吐出させるノズルと、前記ノズルと連通する圧力室と、前記圧力室を構成する壁の前記圧力室の外側に取り付けられ、前記圧力室内の液体を加圧する圧電素子と、前記圧電素子及び前記圧電素子の周囲の空間を囲む気体室と、を具備するインクジェットヘッドの通電開始前に、前記気体室へ前記インクジェットヘッドの周囲の露点以下の乾燥気体の供給が開始され、前記インクジェットヘッドの通電中は前記気体室への前記乾燥気体の供給が継続され、前記インクジェットヘッドの通電停止後に前記気体室への前記乾燥気体の供給が停止され、前記気体室への前記乾燥気体の供給停止中は、前記気体室と連通される乾燥気体供給流路に設けられる乾燥気体供給流路開閉手段が閉じられて、前記気体室へ乾燥気体を供給する乾燥気体供給手段と前記気体室とが遮断され、かつ、前記気体室への前記乾燥気体の供給停止中は、前記気体室と連通される気体回収流路に設けられる気体回収流路開閉手段が閉じられて、前記気体室と大気とが遮断されるインクジェットヘッドの駆動方法。